(57)【要約】      （修正有）【課題】常に一定の条件で光量を測定して精密に光源を制御することができる表示装置を提供する。【解決手段】表示装置は、映像を表示する表示パネル３０と、光を発生する光源と、光をガイドして表示パネルの下部に配置される導光板５０と、光源及び導光板を収納する収納容器と、収納容器に固定されて光を感知する光センサ９１と、収納容器の縁に形成されて光が光センサに到達する通路になる受光ホール８３と、導光板及び光センサの間に介在して光センサに入射する光の輝度を減少させる光調節部材７３と、を備え、光センサは、受光ホールによって光調節部材に露出する。【選択図】図４
2010061138.tif 000002
【特許請求の範囲】
【請求項１】
映像を表示する表示パネルと、
光を発生する光源と、
前記光をガイドして前記表示パネルの下部に配置される導光板と、
前記光源及び前記導光板を収納する収納容器と、
前記収納容器に固定されて前記光を感知する光センサと、
前記収納容器の縁に形成されて前記光が前記光センサに到達する通路になる受光ホールと、
前記導光板及び前記光センサの間に介在して前記光センサに入射する前記光の輝度を減少させる光調節部材と、を備え、
前記光センサは、前記受光ホールによって前記光調節部材に露出することを特徴とする表示装置。
【請求項２】
前記光調節部材は、前記収納容器に収納される反射シートの一端部であることを特徴とする請求項１に記載の表示装置。
【請求項３】
前記光センサは、前記収納容器の床面に形成されて前記導光板と重ならないことを特徴とする請求項２に記載の表示装置。
【請求項４】
前記光センサは、前記収納容器の側壁部に配置され、前記反射シートは、前記導光板の側部に折曲されて前記光センサ及び前記導光板の側面と重なることを特徴とする請求項２に記載の表示装置。
【請求項５】
前記反射シートは、入射する光の少なくとも一部を透過させることを特徴とする請求項２に記載の表示装置。
【請求項６】
前記反射シートの一端部は、前記導光板の外に突出することを特徴とする請求項２に記載の表示装置。
【請求項７】
前記光調節部材は、前記表示パネルと前記導光板との間に介在する光学シートの一端部であることを特徴とする請求項１に記載の表示装置。
【請求項８】
前記光センサは、前記収納容器の側壁部に配置され、前記光学シートは、前記導光板の側部に折曲されて前記光センサ及び前記導光板の側面と重なることを特徴とする請求項７に記載の表示装置。
【請求項９】
前記光源は、前記導光板の一側部に配置され、前記光センサは、前記光源が配置されない他側部に配置されることを特徴とする請求項１に記載の表示装置。
【請求項１０】
前記光調節部材は、前記光源が配置されない前記導光板の側面に形成された光調節パターンであることを特徴とする請求項１に記載の表示装置。
【発明の詳細な説明】
【技術分野】
【０００１】
本発明は、表示装置に関し、より詳細には、常に一定の条件で光量を測定して精密に光源を制御することができる表示装置に関するものである。
【背景技術】
【０００２】
液晶表示装置（Ｌｉｑｕｉｄ  Ｃｒｙｓｔａｌ  Ｄｉｓｐｌａｙ：ＬＣＤ）は、現在最も広く使われているフラットパネル表示装置（Ｆｌａｔ  Ｐａｎｅｌ  Ｄｉｓｐｌａｙ：ＦＰＤ）のうちの一つであって、電極が形成されている２枚の基板とその間に挿入されている液晶層から成り、電極に電圧を印加して液晶層の液晶分子を再配列させることによって、透過する光の量を調節して映像を表示する装置である。
【０００３】
最近、表示品質を向上させるために表示パネルに表示される映像によって光源から提供される光の輝度を調節する表示装置が開発されている。このような表示装置は、光源から提供される光の輝度を測定し、この輝度値をフィードバックして光源の輝度を調節することができる。
【０００４】
一方、表示装置は、光の輝度を測定する光センサを含むが、このような光センサは、常に一定の条件下で光を測定してこそ光源の輝度を正確に測定することができる。しかし、表示装置の外部条件が変わると、光センサの測定条件が共に変わり、光センサの結果値に誤差が生じ得る。例えば、外部の温度変化に応じて表示装置が熱変形などをすることにより、受光ホールなどの構成要素と光センサとの間の相対的な位置に微細な変動が生じ得る。受光ホールなどの構成要素と光センサとの間の相対的な位置変動は、光センサに入射する光の量の差異を生じさせ、光センサの測定誤差を生じさせ得る。
【０００５】
従って、外部条件の変化にも常に一定の条件で光を測定できる構造が必要とされる。
【先行技術文献】
【特許文献】
【０００６】
【特許文献１】韓国特許公開第２００７−００７２１８８号明細書（図３）
【発明の概要】
【発明が解決しようとする課題】
【０００７】
本発明は、上記従来の問題点に鑑みてなされたものであって、本発明の目的は、常に一定の条件で光量を測定して精密に光源を制御することができる表示装置を提供することにある。
【課題を解決するための手段】
【０００８】
上記目的を達成するためになされた本発明の一特徴による表示装置は、映像を表示する表示パネルと、光を発生する光源と、前記光をガイドして前記表示パネルの下部に配置される導光板と、前記光源及び前記導光板を収納する収納容器と、前記収納容器に固定されて前記光を感知する光センサと、前記収納容器の縁に形成されて前記光が前記光センサに到達する通路になる受光ホールと、前記導光板及び前記光センサの間に介在して前記光センサに入射する前記光の輝度を減少させる光調節部材と、を備え、前記光センサは、前記受光ホールによって前記光調節部材に露出する。
【０００９】
本発明のその他の具体的な特徴は詳細な説明及び図面に記載されている。
【発明の効果】
【００１０】
本発明の表示装置によれば、常に一定の条件で光量を測定して精密に光源を制御することができる。
【図面の簡単な説明】
【００１１】
【図１】本発明の第１実施形態による表示装置の分解斜視図である。
【図２】図１に示すＡ領域を拡大した拡大図である。
【図３】図１に示す表示装置に含まれる下部収納容器の部分斜視図である。
【図４】図１に示す表示装置をＩＩＩ−ＩＩＩ’線に沿って切断した断面図である。
【図５】本発明の第２実施形態による表示装置の分解斜視図である。
【図６】図５に示す表示装置を拡大した部分分解斜視図である。
【図７】図６に示す表示装置をＶＩ−ＶＩ’線に沿って切断した断面図である。
【図８】本発明の第３実施形態による表示装置の部分分解斜視図である。
【図９】図８に示す表示装置をＶ−Ｖ’線に沿って切断した断面図である。
【図１０】本発明の第４実施形態による表示装置の部分分解斜視図である。
【図１１】図１０に示す表示装置をＸ−Ｘ’線に沿って切断した断面図である。
【図１２】本発明の第５実施形態による表示装置の部分分解斜視図である。
【図１３】図１２に示す表示装置をＸＩＩ−ＸＩＩ’線に沿って切断した断面図である。
【図１４】光源部の制御過程を説明するためのブロック図である。
【発明を実施するための形態】
【００１２】
本発明の利点、特徴、及びそれらを達成する方法は、図面と共に詳細に後述する実施形態を参照すれば明確になるであろう。しかし、本発明は、以下で開示する実施形態に限定されるものではなく、異なる多様な形態で具現することが可能である。本実施形態は、単に本発明の開示が完全になるように、本発明が属する技術分野で通常の知識を有する者に対して発明の範疇を完全に知らしめるために提供するものである。なお、明細書全体にかけて、同一の参照符号は同一の構成要素を指すものとする。
【００１３】
空間的に相対的な用語である「下（ｂｅｌｏｗ）」、「下（ｂｅｎｅａｔｈ）」、「下部（ｌｏｗｅｒ）」、「上  （ａｂｏｖｅ）」、「上部（ｕｐｐｅｒ）」などは、図面に示されているように、１つの素子又は構成要素と異なる素子又は構成要素との相関関係を容易に記述するために使用され得る。空間的に相対的な用語は図面に示されている方向に加えて、使用時又は動作時素子の互いに異なる方向を含む用語として理解されなければならない。
【００１４】
以下、本発明の表示装置を実施するための形態を、図面を参照しながら詳細に説明する。
【００１５】
先ず、図１〜図４を参照して本発明の第１実施形態による表示装置を詳細に説明する。図１は、本発明の第１実施形態による表示装置の分解斜視図であり、図２は、図１に示すＡ領域を拡大した拡大図である。図３は、図１に示す表示装置に含まれる下部収納容器の部分斜視図であり、図４は、図１に示す表示装置をＩＩＩ−ＩＩＩ’線に沿って切断した断面図である。
【００１６】
図１〜図４を参照すると、本実施形態による表示装置１は、表示パネルアセンブリ、上部収納容器１０、光学シート４０、導光板５０、光源アセンブリ６０、センサアセンブリ９０、反射シート７０、及び下部収納容器８０を含む。
【００１７】
表示パネルアセンブリは、下部表示板３１、上部表示板３２、及び２つの表示板の間に介在する液晶層（図示せず）を含む表示パネル３０を含む。
【００１８】
表示パネル３０は、ゲートライン（図示せず）及びデータライン（図示せず）と薄膜トランジスタアレイ、画素電極などを含む下部表示板３１と、ブラックマトリックス（ｂｌａｃｋ  ｍａｔｒｉｘ）、共通電極などを含み下部表示板３１に対向するように配置された上部表示板３２を含む。このような表示パネル３０は、映像情報を表示する役割を果たす。
【００１９】
上部収納容器１０は、表示装置１の外観を形成し、内部に表示パネル３０が収納される空間が形成されている。このような上部収納容器１０の中央部には表示パネル３０を外部に露出させる開放窓が形成されている。
【００２０】
上部収納容器１０は、下部収納容器８０と結合し、上部収納容器１０と下部収納容器８０の内部には光学シート４０、導光板５０、及び光源アセンブリ６０が収納される。
【００２１】
光学シート４０は、導光板５０から伝達される光を拡散して集光する役割を果たすものであり、導光板５０の上部に配置されて下部収納容器８０に収納される。このような光学シート４０は、第１プリズムシート、第２プリズムシート、拡散シートなどを含む。
【００２２】
第１プリズムシート及び第２プリズムシートは、導光板５０を通過した光を屈折させて低い角度で入射する光を正面から集中させて有効視野角範囲で液晶表示装置の明るさを向上させる役割を果たす。
【００２３】
第１プリズムシート及び第２プリズムシートの下部に形成される拡散シートは、光の分布を均一にするために光を拡散させる役割を果たす。このような拡散シートは、導光板５０を通じて出た光を各方向に拡散させ、導光板５０に生じ得る明部及び暗部が表示装置１の前面から視認されないようにする。このような光学シート４０の構成は上の例に限定されず、表示装置１の仕様によって多様に変更され得る。
【００２４】
導光板５０は、光源６１から供給される光を表示パネル３０に案内する役割を果たす。このような導光板５０は、ＰＭＭＡ（ｐｏｌｙｍｅｔｈｙｍｅｔｈａｃｒｙｌａｔｅ）のようなプラスチック系の透明な物質のパネルで形成され、光源６１から発生した光を導光板５０の上部に位置する表示パネル３０側に進むようにする。従って、導光板５０の底面には導光板５０内部に入射した光の進行方向を表示パネル３０側に変更させるための各種パターン（図示せず）が印刷されて形成される。
【００２５】
光学シート４０と導光板５０は、別途の構成要素として各々含まれ得、光学シート４０と導光板５０の機能を統合して一つの導光板５０のみを使用することもできる。
【００２６】
光源アセンブリ６０は、光を発生して表示パネル３０に光を提供する役割を果たすものであり、光源６１と光源カバー６２を含む。光源６１は、導光板５０の側部に位置して導光板５０の側面を通じて光を提供する。光源６１は、導光板５０の一側に配置され得、必要によっては導光板５０の両側に配置され得る。光源６１は、発光ダイオード（ｌｉｇｈｔ  ｅｍｉｔｔｉｎｇ  ｄｉｏｄｅ：ＬＥＤ）で形成され得る。発光ダイオードは点光源の形態であり、導光板５０の側面に沿って所定の間隔に配置され得る。このような光源６１は、赤色光、緑色光、及び青色光を放出する各々の発光チップを含むことができ、赤色光、緑色光、及び青色光が混合されて白色光の形態で光を発光することができる。このとき、赤色光、緑色光、及び青色光は、各々調節が可能であるため、最適の色温度を有する白色光を放出することができる。ここで、色温度は、光源の光を数値で表現する方法であり、可視光線を放出する黒体の温度を絶対温度で表示したものである。色温度によって視認される光の色が変わる。従って、色温度は、表示パネル３０で表示する映像の色再現範囲が変わるようにすることができる。
【００２７】
赤色光、緑色光、及び青色光を放出する各々の発光チップを含むＬＥＤを光源６１として使用する場合、各色相の発光チップを調節することによって色温度を調節できる長所がある。このような色温度の調節は、様々な条件によって調節範囲が変わるため、フィードバックシステムを導入して常に最適の条件で調節することが好ましい。
【００２８】
一方、光源６１は、必ずしも発光ダイオードに限定されるものではなく、冷陰極蛍光ランプ（Ｃｏｌｄ  Ｃａｔｈｏｄｅ  Ｆｌｕｏｒｅｓｃｅｎｔ  Ｌａｍｐ：ＣＣＦＬ）、熱陰極蛍光ランプ（Ｈｏｔ  Ｃａｔｈｏｄｅ  Ｆｌｕｏｒｅｓｃｅｎｔ  Ｌａｍｐ：ＨＣＦＬ）などのようなランプを利用することもできる。
【００２９】
反射シート７０は、導光板５０の下部に位置して導光板５０の下部に放出される光を上部に反射して光の効率を上げる。このような反射シート７０は、導光板５０の下面と重なる反射面と連結されて導光板５０の外に突出した光調節部材７３を含む。このような光調節部材７３は、反射シート７０と一体で形成されて同一の材質で形成され得、図４に示すように下部収納容器８０の受光ホール８３と重なることができるほどのサイズで形成され得る。但し、光調節部材７３の形状は、これに限定されるものではなく、導光板５０の側部に沿って長く形成され得る。
【００３０】
反射シート７０は、主に光を反射させる役割をするが、反射シート７０に向かって入射する光のうちの少なくとも一部は反射シート７０を透過することができる。このとき、反射シート７０を透過する光は反射シート７０に向かって入射する光より輝度が減少され得る。従って、光調節部材７３は、入射する光の輝度を減少させて光センサ９１に到達する光を弱くする役割を果たす。
【００３１】
センサアセンブリ９０は、光源６１から放出される光の輝度を測定する役割をし、光センサ９１及びセンサボード９２を含む。光センサ９１は、赤色光、緑色光、及び青色光の輝度を各々測定することができ、赤色光、緑色光、及び青色光を各々測定できる別途のフォトダイオードで形成され得る。このような光センサ９１は、センサボード９２に取り付けられて下部収納容器８０の床面８２に配置される。
【００３２】
下部収納容器８０の床面８２にはセンサアセンブリ９０が挿入されるセンサ挿入溝８４が形成される。センサ挿入溝８４は、下部収納容器８０の床面８２の外側面に、内側に湾入された形態で形成され得る。このようなセンサ挿入溝８４には床面８２を貫通して受光ホール８３が形成され得る。
【００３３】
受光ホール８３は、センサ挿入溝８４から下部収納容器８０の内側に貫通している。この場合、受光ホール８３は、導光板５０と直接的に重ならないように配置され得る。但し、このような受光ホール８３の位置は、光センサ９１に到達する光の量などを考慮して導光板５０と重なるようにも配置され得る。
【００３４】
受光ホール８３は、下部収納容器８０の縁に配置され得る。ここで、縁とは、下部収納容器８０の側壁と隣接する部分をいい、側壁と接する部分だけでなく、側壁と多少離隔された領域を含み得る。
【００３５】
センサアセンブリ９０は、受光ホール８３を通じて入射する光を測定するため、光センサ９１を受光ホール８３と重なるように配置させる。このような光センサ９１は、受光ホール８３により外部に露出する必要はなく、受光ホール８３を通じて一定かつ充分な光を受けることができるように形成する。
【００３６】
受光ホール８３は、光センサ９１より大きい面積で形成され得る。即ち、受光ホール８３と重なる光センサ９１の面積が一定に維持され得、光センサ９１に入射する光の量が一定であるように受光ホール８３の面積を光センサ９１の面積より大きく形成することができる。従って、光センサ９１は受光ホール８３によって完全に露出される。ここで、光センサ９１が受光ホール８３によって露出するということは、受光ホール８３と光センサ９１とが重なり、受光ホール８３によって光センサ９１が完全に表れることを意味し、光センサ９１が受光ホール８３を介して光調節部材７３と完全に重なる構造になり得る。
【００３７】
このように、受光ホール８３の面積を光センサ９１の面積より大きく形成することによって光センサ９１、受光ホール８３、及び光調節部材７３などの構成要素の間に相対的位置の変動が発生しても実質的に光センサ９１に入射する光の量は一定に維持され得る。
【００３８】
センサアセンブリ９０は光センサ９１が受光ホール８３に向かうようにセンサ挿入溝８４に挿入されて下部収納容器８０の床面８２の外側面と平面を成す。
【００３９】
一方、光センサ９１は、光調節部材７３を透過した光を測定する。即ち、光調節部材７３は、導光板５０と光センサ９１との間に光センサ９１と重なるように介在することによって導光板５０を出射した光の輝度を減少させて光センサ９１に到達するようにする。
【００４０】
以下、図５〜図７を参照して本発明の第２実施形態による表示装置について詳細に説明する。図５は、本発明の第２実施形態による表示装置の分解斜視図であり、図６は、図５に示す表示装置を拡大した部分分解斜視図である。図７は、図６に示す表示装置をＶＩ−ＶＩ’線に沿って切断した断面図である。説明の便宜上、上記第１実施形態の図面に示す各部材と同一の機能を有する同一の部材は同一符号で示すため、その説明は省略する。
【００４１】
本実施形態による表示装置１は、表示パネルアセンブリ、上部収納容器１０、中間フレーム２０、光学シート４０、導光板５０、光源アセンブリ６０、センサアセンブリ９０、反射シート７０、及び下部収納容器８０を含む。
【００４２】
上部収納容器１０は、中間フレーム２０を介して下部収納容器８０と結合される。
【００４３】
中間フレーム２０は、内部に光学シート４０、導光板５０、及び光源アセンブリ６０を収納して下部収納容器８０に安着して固定される。このような中間フレーム２０は、長方形形状の縁に沿って形成された側壁部２１で構成されて中央部には導光板５０及び光学シート４０を通過した光が透過できるように開放窓を形成する。
【００４４】
中間フレーム２０の各側壁部２１は、内側に延長された安着部２２を含む。安着部２２は、各側壁部２１の内側に延長されて表示パネル３０が安着される安着面を形成し、安着部２２の下部には光学シート４０、導光板５０、及び光源アセンブリ６０が配置される。
【００４５】
光学シート４０は、導光板５０の上部に配置されて中間フレーム２０の安着部２２と側壁部２１で囲まれた空間に収納される。このような光学シート４０は、第１プリズムシート、第２プリズムシート、拡散シートなどを含む。
【００４６】
反射シート７０は、導光板５０の下部に位置して導光板５０の下部に放出される光を上部に反射して光の効率を上げる。このような反射シート７０は、導光板５０の下面と重なる反射面７１と連結されて導光板５０の側面に沿って折曲された折曲部を含む。このような折曲部は、光源６１が位置する導光板５０の入光面には形成されなくてもよく、折曲部のうち導光板５０と後述する光センサ９１との間に介在する部分は光調節部材７２となり得る。
【００４７】
センサアセンブリ９０は、光源６１から放出される光の輝度を測定する役割を果たし、光センサ９１及びセンサボード９２を含む。光センサ９１は、赤色光、緑色光、及び青色光の輝度を各々測定することができ、赤色光、緑色光、及び青色光を各々測定できる別途のフォトダイオードで形成され得る。このような光センサ９１は、センサボード９２に取り付けられて中間フレーム２０に固定される。
【００４８】
中間フレーム２０の側壁部２１にはセンサアセンブリ９０が挿入されるセンサ挿入溝２４が形成される。センサ挿入溝２４は、中間フレーム２０の側壁部２１の外側面に、内側に湾入された形態で形成され得る。このようなセンサ挿入溝２４には側壁部２１を貫通して受光ホール２３が形成される。
【００４９】
受光ホール２３は、センサ挿入溝２４から中間フレーム２０の内側に貫通しており、導光板５０を通じて光が入射するようにする。センサアセンブリ９０は、受光ホール２３を通じて入射する光を測定するため、光センサ９１を受光ホール２３と重なるように配置させる。このような光センサ９１は、受光ホール２３によって外部に露出する必要はなく、受光ホール２３を通じて一定かつ充分な光を受けることができるように形成する。
【００５０】
受光ホール２３は、光センサ９１より大きい面積で形成され得る。即ち、受光ホール２３と重なる光センサ９１の面積が一定に維持され得、光センサ９１に入射する光の量が一定であるように受光ホール２３の面積を光センサ９１の面積より大きく形成することができる。
【００５１】
センサアセンブリ９０は、光センサ９１が受光ホール２３に向かうようにセンサ挿入溝２４に挿入して中間フレーム２０の側壁部２１の外側面と平面を成す。
【００５２】
一方、光センサ９１は、光調節部材７２を透過した光を測定する。即ち、光調節部材７２は、導光板５０と光センサ９１との間に光センサ９１と重なるように介在することによって導光板５０を出射した光の輝度を減少させて光センサ９１に到達するようにする。
【００５３】
下部収納容器８０は、中間フレーム２０と結合して内部に光学シート４０、導光板５０、光源アセンブリ６０、及び反射シート７０を収納する。下部収納容器８０は、導光板５０に沿って折曲され、折曲面が中間フレーム２０の側壁部２１と重なり得る。この場合、下部収納容器８０は、中間フレーム２０の受光ホール２３と重なる部分に切開部８１を形成して導光板５０から入射する光が妨害を受けずに受光ホール２３に伝達できるようにする。
【００５４】
以下、図８及び図９を参照して本発明の第３実施形態による表示装置について詳細に説明する。図８は、本発明の第３実施形態による表示装置の部分分解斜視図であり、図９は、図８に示す表示装置をＶ−Ｖ’線に沿って切断した断面図である。説明の便宜上、上記第１実施形態の図面に示す各部材と同一の機能を有する同一の部材は同一の符号で示すためその説明は省略する。
【００５５】
本実施形態による表示装置は、光調節部材９３が中間フレーム２０の側壁部２１に固定される。即ち、光調節部材９３は、光が入射する受光ホール２３と重なるように形成されることを満たすため受光ホール２３にのみ重なるように形成される。
【００５６】
このような光調節部材９３は、センサ挿入溝２４の内側に受光ホール２３と重なるように形成され得、受光ホール２３の内側に挿入されるように形成され得る。
【００５７】
光調節部材９３は、反射シート７０’と同一の材質で形成され得る。即ち、反射シート７０’と同一材質のシートを一部裁断して受光ホール２３と重なるように取り付けることができる。
【００５８】
一方、光調節部材９３は、必要な光の透過特性によって反射シート７０’と異なる材質を使用することができる。例えば、光センサ９１の条件によって赤色光、緑色光、及び青色光のうちの一部の光の透過特性を調節する必要がある場合にはそれに適する材質を使用して光調節部材９３を形成することができる。
【００５９】
以下、図１０及び図１１を参照して本発明の第４実施形態による表示装置について詳細に説明する。図１０は、本発明の第４実施形態による表示装置の部分分解斜視図であり、図１１は、図１０に示す表示装置をＸ−Ｘ’線に沿って切断した断面図である。説明の便宜上、上記第１実施形態の図面に示す各部材と同一の機能を有する同一の部材は、同一の符号で示すため、その説明は省略する。
【００６０】
本実施形態による表示装置は、光調節部材５１が導光板５０の側面に光調節パターンの形態で形成される。即ち、光調節部材５１は、導光板５０と光センサ９１との間に別途の部材形態で挿入されず、導光板５０の側面にパターン形態で形成され得る。
【００６１】
光調節部材５１は、光センサ９１に入射する光の輝度を減少させるために導光板５０の側面に光の透過度を下げるパターンを形成する。このような光調節パターンは導光板５０の側面に出光する光の一部が再び導光板５０の内部に反射するように反射物質を一部塗布することができる。このような反射物質は、受光ホール２３に重なるように形成されて均一に塗布されることが好ましい。このような光調節パターンは、反射物質だけでなく、光を散乱させる散乱パターンの形態で形成され得、特定色相を有する光の透過特性を調節する物質で形成され得る。
【００６２】
以下、図１２及び図１３を参照して本発明の第５実施形態による表示装置について詳細に説明する。図１２は、本発明の第５実施形態による表示装置の部分分解斜視図であり、図１３は、図１２に示す表示装置をＸＩＩ−ＸＩＩ’線に沿って切断した断面図である。説明の便宜上、上記第１実施形態の図面に示す各部材と同一の機能を有する同一の部材は同一の符号で示すため、その説明は省略する。
【００６３】
本実施形態による表示装置は、光調節部材４２が光学シート４０の一端部で形成され得る。即ち、導光板５０と表示パネル３０との間に介在して光を集光したり拡散をしたりする光学シート４０を形成するシートの一部４１の一端部が光調節部材４２となり得る。
【００６４】
光調節部材４２は、受光ホール２３に入射する光の輝度を減少させることができれば多様な形態で形成され得る。光学シート４０は、プリズムシート又は拡散シートなどのような光学的特性を有するシートで形成されている。例えば、プリズムシートは、光を集光する機能をしているが、平行光が入射する場合には全反射が行われることによって光の透過率が低くなる特性がある。従って、このような特性を上手く活用すると受光ホール２３に入射する光の輝度を調節することができる。
【００６５】
また、拡散シートは、光を拡散して一定の方向に入射する光の出光方向を多様化する役割を果たすため、受光ホール２３に入射する光の量を減少させるように調節することができる。従って、プリズムシートと拡散シートから成る光学シート４０を利用して受光ホール２３に入射する光の輝度を調節する光調節部材４２として活用することができる。
【００６６】
以下、図１４を参照して光源部の制御過程を詳細に説明する。図１４は、光源部の制御過程を説明するためのブロック図である。
【００６７】
バックライトドライバ６００は、光データ信号（ＬＤＡＴ）に応答して光源部（ＬＢ）から提供されるバックライトの輝度を調節する。光源部（ＬＢ）の輝度は、光データ信号（ＬＤＡＴ）が有するデューティ比によって変わり得る。
【００６８】
光源部（ＬＢ）は、少なくとも一つ以上の光源を含み、表示パネル３０に光を提供することができ、光源部（ＬＢ）の輝度は、光源部（ＬＢ）に接続されたバックライトドライバ６００によって制御され得る。
【００６９】
光測定部７００は、光センサ（図４の９１等参照）を含み、光源部（ＬＢ）から提供されるバックライトの輝度を測定してバックライトの測定輝度（ＩＬ）を光データ信号制御部５００に提供することができる。
【００７０】
光データ信号制御部５００は、輝度決定部５１０、輝度補償部５２０、及び光データ信号出力部５３０を含み得る。
【００７１】
輝度決定部５１０は、代表映像信号（Ｒ＿ＤＢ）の入力を受けて代表映像信号（Ｒ＿ＤＢ）に対応するバックライトの原輝度を決定し、バックライトの原輝度を輝度補償部５２０に出力する。輝度決定部５１０は、例えば、ルックアップテーブル（図示せず）を利用して代表映像信号（Ｒ＿ＤＢ）に対応するバックライトの原輝度を決定することができる。
【００７２】
輝度補償部５２０は、バックライトの原輝度とバックライトの測定輝度（ＩＬ）の入力を受けて補償された輝度を光データ信号出力部５３０に提供することができる。補償された輝度は、バックライトの測定輝度（ＩＬ）が所望する値になるようにバックライトの原輝度を補償した輝度である。
【００７３】
具体的に輝度補償部５２０は、バックライトの原輝度とバックライトの測定輝度（ＩＬ）を比較してバックライトの測定輝度（ＩＬ）がバックライトの原輝度より小さい値を有すると、バックライトの原輝度より大きい値を有する補償された輝度を提供することができる。例えば、光源部（ＢＬ）に含まれる発光素子が劣化すると、光源部（ＬＢ）から提供されるバックライトの輝度は所望する輝度値より小さい輝度値を有することがある。このような場合、バックライトの原輝度より大きい値を有する補償された輝度を提供して光源部（ＬＢ）から提供されるバックライトの輝度が所望する輝度値を有するように補償することができる。これに対し、バックライトの測定輝度（ＩＬ）がバックライトの原輝度より大きい値を有すると、バックライトの原輝度より小さい値を有する補償された輝度を提供することができる。
【００７４】
光データ信号出力部５３０は、輝度補償部５２０から提供される補償された輝度によって光データ信号（ＬＤＡＴ）を出力する。このように、補償された輝度に対応する光データ信号（ＬＤＡＴ）をバックライトドライバ６００に提供することによって光源部（ＬＢ）から提供されるバックライトの輝度を補償することができる。
【００７５】
以上、図面を参照しながら本発明の実施形態について説明したが、本発明は、上述の実施形態に限定されるものではなく、本発明の技術的範囲から逸脱しない範囲内で多様に変更実施することが可能である。
【産業上の利用可能性】
【００７６】
本発明は、外部の条件が一定ではない環境でも常に一定に光源を制御することができるため、映画産業、医療産業、娯楽産業などディスプレイ装置を必要とする産業の全分野において有用なものであろう。
【符号の説明】
【００７７】
１    表示装置
１０    上部収納容器
２０    中間フレーム
２１    側壁部
２２    安着部
２３、８３    受光ホール
２４、８４    センサ挿入溝
３０    表示パネル
３１    下部表示板
３２    上部表示板
４０、４０’    光学シート
４１    光学シートの一部
４２、５１、７２、７３、９３    光調節部材
５０    導光板
６０    光源アセンブリ
６１    光源
６２    光源カバー
７０、７０’    反射シート
７１    反射面
８０    下部収納容器
８１    切開部
８２    床面
９０    センサアセンブリ
９１    光センサ
９２    センサボード
５００    光データ信号制御部
５１０    輝度決定部
５２０    輝度補償部
５３０    光データ信号出力部
６００    バックライトドライバ
７００    光測定部
【図１】
2010061138.tif 000003
【図２】
2010061138.tif 000004
【図３】
2010061138.tif 000005
【図４】
2010061138.tif 000006
【図５】
2010061138.tif 000007
【図６】
2010061138.tif 000008
【図７】
2010061138.tif 000009
【図８】
2010061138.tif 000010
【図９】
2010061138.tif 000011
【図１０】
2010061138.tif 000012
【図１１】
2010061138.tif 000013
【図１２】
2010061138.tif 000014
【図１３】
2010061138.tif 000015
【図１４】
2010061138.tif 000016